(57)【要約】【課題】仕掛け投入時に糸の引っ掛かりを防止することのできる仕掛け投入装置を提供することにある。【解決手段】仕掛け投入装置１０は、個々の釣りの仕掛けが個別に収納される収納部１ａを有し底部に錘４を有する複数の筒状体１と、これらの筒状体１を列状に配置するとともに個々に回動可能に支持するシャフト２と、筒状体１の起き上がり角度を任意に調節して設定するための角度調節手段を構成する押さえ部材３と、を備えている。シャフト２は、筒状体１の長手方向の中心位置よりもやや下方の位置を貫通して回動可能に軸支しており、筒状体１は、押さえ部材３により起き上がり角度が規制されて傾斜状態で並べて配置されている。このような構成とすれば、仕掛けを行う作業者は、天候の状況等から判断して、筒状体の起き上がり角度（初期位置の角度）を調節することができる。【選択図】図１
2007159561.tif 000002
【特許請求の範囲】
【請求項１】
個々の釣りの仕掛けが個別に収納され底部に錘を有する複数の筒状体と、前記筒状体を列状に配置するとともに回動可能に支持するシャフトと、前記シャフトの両端を保持する保持具と、を備えた仕掛け投入装置であって、
前記筒状体の起き上がり角度を規制するとともに前記起き上がり角度を調節する角度調節手段を備えていることを特徴とする仕掛け投入装置。
【請求項２】
前記角度調節手段は、前記シャフトまたは前記保持具に回動可能に支持され前記筒状体の起き上がり角度を規制する押さえ部材と、該押さえ部材を固定する固定具と、を備えている請求項１記載の仕掛け投入装置。
【請求項３】
前記筒状体の収納部には、前記仕掛けを着脱可能に固定させる磁石が設けられている請求項１または２に記載の仕掛け投入装置。
【請求項４】
前記筒状体の配列方向に沿って、筒状体と離間して防護部が形成されている請求項１から３のいずれかに記載の仕掛け投入装置。
【請求項５】
前記防護部は、複数の横棒が間隔を開けて配置され、前記横棒が縦板で連結されて形成されており、前記横棒の横方向の両端がＬ字型に屈曲するように形成されている請求項４記載の仕掛け投入装置。
【請求項６】
前記押さえ部材は、シャフトに両側において支持される垂直部材と、筒状体の上方への回動を押さえて規制する水平部材とから構成され、前記水平部材は円筒状の形状を有している請求項２から５のいずれかに記載の仕掛け投入装置。
【発明の詳細な説明】
【技術分野】
【０００１】
本発明は、複数の仕掛けを、釣り糸が絡まることないように収納し、釣り糸が絡まることなく海中に投下する仕掛け投入装置に関する。
【背景技術】
【０００２】
例えばイカ釣りにおいて、１本の幹糸に複数の擬餌針を繋ぎ先端に錘を設けた仕掛けが用いられており、イカの群れが逃げないようにこの仕掛けを素早く海中へ投入する必要がある。しかしながら、従来、糸がもつれたり糸と針が絡んだりして仕掛けをスムーズに投入することができないという問題があった。このような問題に対し、複数の仕掛け（擬餌針）を個々に収納する仕掛け用の収納具や収納装置が知られている（例えば、特許文献１〜３参照。）。
【０００３】
特許文献１には、基板と、その長手方向に沿って、而も斜め態様で配列取着されている複数のイカ釣り用擬似針収容部より成り、これらの各々の内部には永久磁石が取付けられているイカ釣り用擬似針収容具が記載されている。斜め状態で一定の姿勢にて磁気吸着させて整列、保持できるので、糸と針が絡むことを有効に防止できるとしている。
【０００４】
特許文献２には、支柱から水平方向に張り出すアームに、マグネット取付部をアーム長手方向に沿って所定の間隔で設け、各取付部にマグネットを埋め込んだイカ釣り針保持具が記載されている。仕掛け（イカ釣り針）を海から引き上げたときには、各マグネットに釣り針先端の鉄製の針部材を吸着させて、複数の釣り針を一列に整列して保持することができるとしている。
【０００５】
特許文献３には、個々のイカ釣り針を個別に収納する複数の円筒体が、その長さ方向と直交するシャフトにより回転可能に整列して支持され、円筒体の初期状態の傾斜角度を設定する上がり止め金具および回り過ぎを防止する下がり止め金具を受け金具に設けた円筒体自動反転イカ釣り装置が記載されている。複数の円筒体を回転可能とし、これらの円筒体の開口部が初期位置の状態で上を向いているため、次の仕掛け（イカ釣り針）の投入準備を容易にすることができるとしている。
【０００６】
【特許文献１】特開２００３−２８９７７４号公報
【特許文献２】特開２００３−２３９４０号公報
【特許文献３】特開２００５−９５１２７号公報
【発明の開示】
【発明が解決しようとする課題】
【０００７】
しかし、特許文献１に記載のイカ釣り用擬似針収容具では、収容部が斜めの状態で一定姿勢となっており、擬似針（仕掛け）が引っ張られる角度によっては、糸が引っ掛かって擬似餌が順次投下できない恐れがある。
また、特許文献２に記載のイカ釣り針保持具は、イカ釣り針（仕掛け）を収納する際には、下から収納しなければならず、次の仕掛けの準備に時間を要してしまう。
【０００８】
特許文献３に記載の円筒体自動反転イカ釣り装置は、イカ釣り針（仕掛け）を海中に投入するときの円筒体の初期状態の傾斜角度を、上がり止め金具によりその仰角が大きい状態で一定に保持し、この状態から仕掛けを一本一本海中へ投入している。このように、初期状態の傾斜角度が大きいと、投入時に円筒体が回転する角度が大きくなり、糸が引かれる方向によっては円筒体が回転せず糸が円筒体に引っ掛かったり、回転動作自体が無駄な動きとなって投入するのに時間を要したりすることがある。
【０００９】
本発明が解決しようとする課題は、仕掛け投入時に糸の引っ掛かりを防止することのできる仕掛け投入装置を提供することにある。
【課題を解決するための手段】
【００１０】
本発明の仕掛け投入装置は、個々の釣りの仕掛けが個別に収納され底部に錘を有する複数の筒状体と、筒状体を列状に配置するとともに回動可能に支持するシャフトと、このシャフトの両端を保持する保持具と、を備えた仕掛け投入装置であって、筒状体の起き上がり角度を規制するとともに前記起き上がり角度を調節する角度調節手段を備えていることを特徴とする。
【００１１】
上記のような構成とすれば、仕掛けを投入した後には錘の作用を受けて、筒状体は、上方へ自動的に回動して起き上がり、この起き上がりが規制されて元の起き上がり角度（初期角度）の位置に復帰することとなる。ここで、角度調節手段により筒状体の起きあがり角度を調節することができるため、例えばこの起き上がり角度を小さく調節すれば、投入時に筒状体が回動する角度が小さくなり、糸が引かれても筒状体が回動しやすくなって糸の円筒体への引っ掛かりを防止することができる。また、筒状体の回動する距離が小さくなって仕掛けの投入時間を短縮することもできる。
【００１２】
また、仕掛けを投入する作業者は、天候の状況により変化する船の揺れや振動の状況等によって筒状体の任意の起き上がり角度とすることもできる。例えば、振動等が少ない場合（好天時等）には、仕掛けは安定しやすいため、前述のように起きあがり角度を小さくして糸の引っ掛かりを防止することができる。一方、振動等が多い状況（悪天候時等）においては、仕掛けが不安定となる恐れがあるため、筒状体を傾斜させつつも安全をみて起きあがり角度を大きくし、仕掛けの安定性を確保することができる。従って、仕掛けを行う作業者は、天候の状況等から判断して、筒状体の起き上がり角度（初期位置の角度）を調節することができる。
ここで、起き上がり角度とは、初期位置（仕掛けを設置する前または設置後の状態）での水平方向と筒状体の長手方向との角度、すなわち、仰角を意味する。
【００１３】
なお、起き上がり角度を０度以上６０度以下とすることが望ましく、好ましくは１０度以上５０度以下、より好ましくは２０度以上４０度以下である。このような起き上がり角度とすることにより、糸の引っ掛かりを防止できるとともに筒状体の回動距離が小さくなって仕掛けの投入をスムーズに行うことができ、さらに安定して仕掛けを収納することができる。ここで、起き上がり角度が６０度を超えると、仕掛け収納時の安定感が増すものの、糸が引っ掛かる場合があり、仕掛けをスムーズに投入できなくなり望ましくない。起き上がり角度が０度未満となると、仕掛けを筒状体に収納することができなくなり望ましくない。
【００１４】
また、角度調節手段は、シャフトまたは保持具に回動可能に支持され筒状体の起き上がり角度を規制する押さえ部材と、この押さえ部材を固定する固定具と、を備えている。このような構成とすれば、簡素な構造としながらも、起き上がり角度を容易に調節することができる。
【００１５】
さらに、筒状体の収納部に、仕掛けを着脱可能に固定させる磁石を設ければ、仕掛けが磁性体である場合においては、仕掛けを磁石に吸着させて固定することができるため、さらに安定して仕掛けを筒状体に収納することができる。なおこの場合においては、初期角度を小さくすることが可能となり、マイナス値（俯角）とすることも可能となる。
【００１６】
本発明においては、前記筒状体の配列方向に沿って、筒状体と離間して防護部が形成されている。
筒状体と離間して防護部が形成されていることにより、仕掛けを投入する際に釣り糸は防護部に接触して通過するようになり、釣り糸が直接筒状体に接触しにくくなる。そのため、筒状体は釣り糸の影響を受けることなく、適正な傾斜角度を保つことが可能となる。
【００１７】
本発明においては、前記防護部は、複数の横棒が間隔を開けて配置され、前記横棒が縦板で連結されて形成されており、前記横棒の横方向の両端がＬ字型に屈曲するように形成されている。
横棒の横方向の両端がＬ字型に屈曲するように形成されていることから、横棒は横方向の両端に向かって一旦押え部材に近づいた後、押え部材から遠ざかる構造となっているため、釣り糸が防護部を通過する際の横ずれを防止することができる。
【００１８】
本発明においては、前記押さえ部材は、シャフトに両側において支持される垂直部材と、筒状体の上方への回動を押さえて規制する水平部材とから構成され、前記水平部材は円筒状の形状を有している。
水平部材は円筒状の形状を有しているため、釣り糸が水平部材に接触して通過する際に、釣り糸が磨耗による損傷を受けることを防止できる。また、水平部材と筒状体との接触面積が小さくなるため、これらの接触による磨耗を抑制することができる。
【発明の効果】
【００１９】
本発明の最大の特徴は、筒状体の起き上がり角度を規制するとともにこの起き上がり角度を調節する角度調節手段を備えていることにある。これにより、仕掛けを行う作業者は、天候の状況等から判断して、筒状体の起き上がり角度（初期位置の角度）を調節することができる。
【発明を実施するための最良の形態】
【００２０】
以下、図面に基づいて本発明の第１の実施形態について説明する。図１は本発明の第１の実施形態である仕掛け投入装置を示す斜視図、図２は図１に示す仕掛け投入装置の側面図、図３は図１におけるＡ−Ａ断面図である。
仕掛け投入装置１０は、個々の釣りの仕掛けが個別に収納される収納部１ａを有し底部に錘４を有する複数の筒状体１と、これらの筒状体１を列状に配置するとともに個々に回動可能に支持するシャフト２と、筒状体１の起き上がり角度を任意に調節して設定するための角度調節手段を構成する押さえ部材３と、を備えている。シャフト２は、筒状体１の長手方向の中心位置よりもやや下方の位置を貫通して回動可能に軸支しており、各筒状体１は、押さえ部材３により起き上がり角度が規制されて傾斜状態で並べて配置されている。
【００２１】
シャフト２は、両端部が基台５上に立設された保持具６の貫通孔６ａを貫通することにより保持具６に保持されており、押さえ部材３は、シャフト２により回動可能に支持されている。筒状体１は、両側が開放された円筒状であり、収納部１ａの端部（図１の上端部）は、収納部１ａの断面の径よりも大きい径を有する拡径部１ｂが形成されている。筒状体１の底部には、前述したように錘４が設けられており、この錘４と筒状体１の下部とを被覆するようにゴムカバー７が装着されている。この錘４により、筒状体１の重心が下方にあるため、筒状体１は上方に起き上がるようになっている。ここで、筒状体１の形状は円筒状に限定されるものではなく、断面が楕円状や直方体状など、他の形状とすることもできる。
【００２２】
筒状体１は離間して設けられており、筒状体１間には、シャフト２を被覆する円筒状であり金属製のカバー８が設けられている。シャフト２の両端部は固定具である蝶ネジ９により締め付け可能であり、蝶ネジ９を締めると押さえ部材３の後述する垂直部材３ａとカバー８とが次第に密着し、押さえ部材３を固定することができる。押さえ部材３は、作業者が任意の起き上がり角度となるように手で回動させて蝶ネジ９により固定される。さらに蝶ネジ９を締め続けると、筒状体１とカバー８との間が密着し、筒状体１を固定することが可能となる。また、筒状体１はアルミニウム製であり、シャフト２はステンレススチール製であるが、材質はこれらに限定されるものではない。
【００２３】
ここで、押さえ部材３は、アルミ製の細長且つ扁平な板材をコ字状に折り曲げて一体成形したものであり、シャフト２に両側において支持される垂直部材３ａと、筒状体１の上方への回動（起き上がり）を押さえて規制する水平部材３ｂとから構成されている。なお、水平部材３ｂは、直線状であるがこれに限定されるものではなく、曲線状とすることもできる。また、垂直部材３ａと水平部材３ｂとは一体成形されているが、これに限定されるものではなく、別個に組み立てて構成しても良い。さらに、押さえ部材３の垂直部材３ａは、シャフト２に支持されているが、保持具６に回動可能に支持させても良い。
【００２４】
次に、仕掛けを仕掛けて投入する状況について、工程ごとに説明する。
（１）起き上がり角度調節工程
まず、蝶ネジ９を緩めて押さえ部材３の水平部材３ｂを、シャフト２を支軸として手で回動させながら、筒状体１の起き上がり角度（初期角度）を調節する。このとき、天候や船の揺れ具合等を考慮して、作業者の意図した角度となるように起き上がり角度を決め、蝶ネジ９を締めることにより押さえ部材３を固定させて、筒状体１の仕掛け投入時の起き上がり角度を決定する。なお、この状態においては、押さえ部材３は固定されるが、筒状体１はカバー８が緩衝材となって固定されておらず、回動自在の状態である。さらに、保持具６には複数の貫通孔６ａが形成されており、適宜シャフト２の取り付け位置を変更することができる。以上のように、押さえ部材３を回動させることで一度に全ての筒状体１の起き上がり角度が同一角度となるように調節することができる。
【００２５】
（２）仕掛け準備工程
仕掛け（図示せず）を複数の筒状体１の収納部１ａに予め収納する。このとき、拡径部１ｂがあるため仕掛けを収納しやすくなっている。そして、本実施形態においては、この起き上がり角度を約４５度に設定してあるが、これに限定されるものではなく、仕掛けを安定して、且つ、筒状体１から落ちないようであれば、糸の引っ掛け防止の観点からすると起き上がり角度は小さい方が望ましく、起き上がり角度を０度とすることも可能である。
【００２６】
（３）仕掛け投入工程
仕掛けは一本の糸で繋がれており、各筒状体１から仕掛けが引っ張られて海へ投入される。このとき、個々の筒状体１の収納部１ａが下方へ回動しながら投入されるが、拡径部１ｂがあることにより糸が引っ掛からずに筒状体１の回動を促すことができ、スムーズに筒状体１を回動させることができる。
【００２７】
（４）筒状体復帰工程
仕掛けの投入後は、錘４の作用により筒状体１の収納部１ａが上方へ回動し起き上がることとなる。そして、押さえ部材３の水平部材３ｂが上限となって筒状体１の回動が止まり、筒状体１は起き上がり角度の位置の状態、すなわち初期角度の状態へ復帰する。この後、再度、仕掛け準備工程へと戻る。前述のように、起き上がり角度が約４５度であり収納部１ａが上方を向いているため、仕掛けを収納部１ａに容易に収納することができる。ここで、作業状況に応じては、さらに蝶ネジ９を締め付けて、筒状体１をその位置で完全に回動しないように固定して、仕掛けを収納しても良い。
【００２８】
次に、図４，図５を用いて本発明の第２の実施形態について説明する。図４は、図３において磁石を備えたことを示す図であり、図５は図４におけるＢ部拡大図の一例を示す図である。ここで、図４，図５において、第１の実施形態と同一符号を付した部分については、同一の機能および同一の作用効果を有するため、説明を省略する。
【００２９】
図４に示すように、筒状体１のシャフト２付近には、仕掛けを着脱可能に固定させて安定させるための磁石１１が設けられている。磁石１１の設け方については限定されるものではないが、例えば、図５のように行うことができる。
図５（ａ）は、シャフト２を磁石１１に貫通させて設けた例である。ここで、磁石１１の筒状体１の長手方向の長さは、適宜変更しても良く、長さを大きくすれば、錘としても機能させることができる。この場合、円筒体１の底部の錘４を除去して、底部を磁石１１とすることもできる。
【００３０】
図５（ｂ）は、シャフト２を挟んで磁石１１を設けた例である。磁石１１は、筒状体１の上方側にある磁石１１ａと、下方側にある磁石１１ｂとからなる。磁石１１ａ，１１ｂの大きさは適宜設計変更でき、錘として機能させることもできる。このようにシャフト２を挟むことにより、仕掛け投入装置１０を分解することなく磁石１１を設けることができる。
【００３１】
図５（ｃ）は、シャフト２を磁石１１ａに貫通させ、さらに輪切り状の小片の薄い磁石１１ｂ，１１ｃ，１１ｄを連続して設けて磁石１１とした例である。磁石１１ａの厚みを約５ｍｍとし、磁石１１ｂ，１１ｃ，１１ｄの厚みを約３ｍｍとすると好適であるが、大きさは適宜設計変更しても良い。また、磁石１１ｂ，１１ｃ，１１ｄの個数はこれに限定されず、単数または複数とすることができる。さらに、輪切り状の小片の磁石をさらに複数個連結して、錘として機能させることもできる。
【００３２】
以上のように、磁石１１を設け、さらに先端部が磁性体で形成された仕掛けを用いれば、この磁石１１によりさらに安定して収納部１ａに収納させることができ、特に、起き上がり角度を小さく調節した場合にはその効果を発揮し、０度付近においても安定して仕掛けを収容させることができる。さらに、起き上がり角度をマイナス、即ち初期位置の傾斜角度を俯角０〜９０度とすることも可能となる。しかし、この場合、次の仕掛けの準備には手間となるが、引っ掛かりを抑制することを主目的とする場合には適用しても良い。
次の仕掛け準備作業の労力軽減を目的とする場合には、起き上がり角度は必要であり、最適な起き上がり角度は作業状態によって適宜選択すれば良い。
本発明においては、磁石１１を設けることにより、作業者の起き上がり角度の調節可能範囲がさらに広くなって、目的に応じた汎用性の高い仕掛け投入装置１０とすることができる。
【００３３】
次に、本発明の第３の実施形態について説明する。
この実施形態は、仕掛けの投入等についての基本的な機能は図１に示すものと同様であるが、第１の実施形態に対してさらに利便性を向上するために改良を加えたものであり、その構成を図６に示す。
図６において、仕掛け投入装置１０は、個々の釣りの仕掛けが個別に収納される収納部１ａを有し底部に図３に示す錘４を有する複数の筒状体１と、これらの筒状体１を列状に配置するとともに個々に回動可能に支持するシャフト２と、筒状体１の起き上がり角度を任意に調節して設定するための角度調節手段を構成する押さえ部材３と、を備えている。シャフト２は、筒状体１の長手方向の中心位置よりもやや下方の位置を貫通して回動可能に軸支しており、各筒状体１は、押さえ部材３により起き上がり角度が規制されて傾斜状態で並べて配置されている。
【００３４】
シャフト２は、両端部が基台５上に立設された保持具６の貫通孔６ａを貫通することにより保持具６に保持されており、押さえ部材３は、シャフト２により回動可能に支持されている。筒状体１は、両側が開放された円筒状であり、収納部１ａの端部（図６の上端部）は、収納部１ａの断面の径よりも大きい径を有する拡径部１ｂが形成されている。筒状体１の底部には、前述したように錘４が設けられており、この錘４と筒状体１の下部とを被覆するようにゴムカバー７が装着されている。この錘４により、筒状体１の重心が下方にあるため、筒状体１は上方に起き上がるようになっている。ここで、筒状体１の形状は円筒状に限定されるものではなく、断面が楕円状や直方体状など、他の形状とすることもできる。
【００３５】
筒状体１は離間して設けられており、筒状体１間には、シャフト２を被覆する円筒状であり金属製のカバー８が設けられている。シャフト２の両端部は固定具である蝶ネジ９により締め付け可能であり、蝶ネジ９を締めると押さえ部材３の後述する垂直部材３ａとカバー８とが次第に密着し、押さえ部材３を固定することができる。押さえ部材３は、作業者が任意の起き上がり角度となるように手で回動させて蝶ネジ９により固定される。さらに蝶ネジ９を締め続けると、筒状体１とカバー８との間が密着し、筒状体１を固定することが可能となる。筒状体１はアルミニウム製であり、シャフト２はステンレススチール製であるが、材質はこれらに限定されるものではない。図６においては、筒状体１の長さがそれぞれ異なるように形成されているが、このように筒状体１を形成すると、異なる長さの仕掛けを用いる場合に便利である。筒状体１の径は１０ｍｍ程度としている。
【００３６】
ここで、押さえ部材３は、シャフト２に両側において支持される垂直部材３ａと、筒状体１の上方への回動（起き上がり）を押さえて規制する水平部材３ｂとから構成されている。水平部材３ｂは円筒状のパイプであり、例えばステンレスによって形成することができる。板状に形成された垂直部材３ａの上端は水平部材３ｂから約４ｃｍ突出しており、水平部材３ｂの両端は垂直部材３ａに溶接されて固定されている。水平部材３ｂが円筒状に形成されていることにより、釣り糸が水平部材３ｂに接触して通過する際に、釣り糸が磨耗による損傷を受けることを防止できる。また、水平部材３ｂと筒状体１との接触面積が小さくなるため、これらの接触による磨耗を抑制することができる。
【００３７】
この実施形態においては、筒状体１の配列方向に沿って、筒状体１と離間して防護部２１が形成されている。この防護部２１は図６に示すように、複数の細長い横棒２２を間隔を開けて配置し、これらの横棒２２を縦板２３で連結して、縦板２３の一端を折り曲げて基台５に取り付けられている。横棒２２は、例えば硬いステンレスによって形成することができ、断面の直径が約２〜３ｍｍの丸棒状の形状を有している。
この防護部２１が形成されていることにより、仕掛けを投入する際に釣り糸は防護部２１に接触して通過するようになり、釣り糸が直接筒状体１に接触することが少なくなる。釣り糸が直接筒状体１に接触すると、釣り糸によって筒状体１が傾き、筒状体１が本来あるべき傾斜角度を維持できない場合があるが、この実施形態においては、釣り糸が直接筒状体１に接触することが少なくなるため、筒状体１は釣り糸の影響を受けることなく、適正な傾斜角度を保つことが可能となる。
防護部２１は、横棒２２の横方向の両端がＬ字型に屈曲するように形成されており、横棒２２は横方向の両端に向かって一旦押え部材３に近づいた後、押え部材３から遠ざかる構造となっている。このようにすることで、釣り糸が横ずれしようとしたときに屈曲部で止まるため、釣り糸が防護部２１を通過する際の横ずれを防止することができる。
【産業上の利用可能性】
【００３８】
本発明は、イカ釣り用等の仕掛けを投入する装置として広く利用することができる。
【図面の簡単な説明】
【００３９】
【図１】本発明の第１の実施形態である仕掛け投入装置を示す斜視図である。
【図２】図１に示す仕掛け投入装置の側面図である。
【図３】図１におけるＡ−Ａ断面図である。
【図４】図３において磁石を備えたことを示す図である。
【図５】図４におけるＢ部拡大図の一例を示す図である。
【図６】本発明の第３の実施形態である仕掛け投入装置を示す斜視図である。
【符号の説明】
【００４０】
１０  仕掛け投入装置
１  筒状体
１ａ  収納部
１ｂ  拡径部
２  シャフト
３  押さえ部材
３ａ  垂直部材
３ｂ  水平部材
４  錘
５  基台
６  保持具
６ａ  貫通孔
７  ゴムカバー
８  カバー
９  蝶ネジ
１１  磁石
１１ａ，１１ｂ，１１ｃ，１１ｄ  磁石
２１  防護部
２２  横棒
２３  縦板
【図１】
2007159561.tif 000003
【図２】
2007159561.tif 000004
【図３】
2007159561.tif 000005
【図４】
2007159561.tif 000006
【図５】
2007159561.tif 000007
【図６】
2007159561.tif 000008